(57)【要約】【課題】光源及び光源制御部が搭載された光源制御基板を有し、該光源制御基板の外部から伝送線を介して電源、及び光源駆動電流を制御する基準電圧信号が供給される光書き込み装置において、前記光源の動作状態の変化に応じて前記光源制御基板の消費電流が変化することに起因する光源の光量変化を安価かつ簡易な手段で低減させる。【解決手段】光源制御基板１１０には、ＬＤユニット２１、光源制御部１１１、及び可変抵抗１１３が搭載されている。光源制御基板１１０には、電源部１２０から電源が供給され、書き込み制御部１００から基準電圧信号が供給される。ＬＤユニット２１が発光している時と発光していない時とで、光源制御基板１１０の消費電流が一定になるように、可変抵抗１１３の抵抗値を制御する。【選択図】図３
2015168184.tif 000002
【特許請求の範囲】
【請求項１】
光源及び前記光源に光源駆動電流を供給する光源制御部が搭載された光源制御基板を有し、前記光源制御基板の外部から前記光源及び光源制御部の電源、並びに前記光源駆動電流を制御する基準電圧信号が供給される光書き込み装置であって、
前記光源制御基板に搭載された、前記光源駆動電流が流れる期間を含む所定の期間に通電される被通電部と、
前記光源制御基板の消費電流が前記期間で一定になるように前記被通電部に流れる電流を制御する電流制御部と、
を有する、光書き込み装置。
【請求項２】
請求項１に記載された光書き込み装置において、
前記被通電部は可変抵抗である、光書き込み装置。
【請求項３】
請求項１に記載された光書き込み装置において、
前記所定の期間は、前記光源制御基板に電源が供給されている期間である、光書き込み装置。
【請求項４】
請求項２に記載された光書き込み装置において、
前記電流制御部は、前記基準電圧信号のレベルに応じて、前記可変抵抗の抵抗値を変化させる、光書き込み装置。
【請求項５】
感光体に、画像データに基づいて変調されたレーザビームを光書き込み部から照射して静電潜像を形成し、該感光体上の該静電潜像を現像剤で現像した現像剤像を被記録媒体に転写して画像を形成する画像形成装置であって、
前記光書き込み部として、請求項１〜４のいずれかに記載された光書き込み装置を搭載していることを特徴とする画像形成装置。
【請求項６】
請求項５に記載された画像形成装置において、
前記光源制御部に対して、前記画像の副走査期間に対応する画像領域信号を供給する画像領域信号供給部を有し、前記所定の期間は前記副走査期間である、画像形成装置。
【請求項７】
光源、前記光源に光源駆動電流を供給する光源制御部及び被通電部が搭載され、外部から前記光源及び光源制御部の電源、並びに前記光源駆動電流を制御する基準電圧信号が供給される光源制御基板を有する光書き込み装置により実行される光書き込み方法であって、
前記被通電部に電流を流す通電ステップと、前記光源制御部から前記光源に光源駆動電流を供給する光源駆動ステップと、を有し、
前記光源駆動ステップを実行する期間を含む所定の期間に前記通電ステップを実行するとともに、前記光源制御基板の消費電流が前記期間で一定になるように前記被通電部に流れる電流を制御する、光書き込み方法。
【発明の詳細な説明】
【技術分野】
【０００１】
本発明は、光書き込み装置、画像形成装置及び光書き込み方法に関する。
【背景技術】
【０００２】
デジタル複写機、プリンタ、及びファクシミリ装置等の画像形成装置としては、高品質の画像を高速で記録できることから、電子写真方式の画像形成装置が普及している。電子写真方式の画像形成装置は、光源としてレーザダイオード（半導体レーザ）を使用し、レーザダイオードから出射されたレーザビームにより感光体上に静電潜像を形成し、静電潜像を現像してトナー像を形成し、トナー像を用紙などの記録体に転写して画像を形成する。
【０００３】
このような電子写真方式の画像形成装置においては、画像品質を良好なものとするためには、レーザダイオードの出力を一定に保つ必要があり、従来からＡＰＣ（Auto Power Control；自動光出力制御）回路を用いて、レーザダイオードの出力を一定にしている。
【０００４】
即ち、レーザダイオードは、その光出力特性が周囲温度の変化に敏感であるため、一定電流でレーザダイオードを駆動しても、周囲温度の変化や自己発熱等により、光出力が変動する。この光出力の変動を抑えるために、レーザダイオードのパッケージ中に、レーザダイオードの光出力をモニタするフォトダイオードを組み込み、このフォトダイオードの検出結果に基づいて、レーザダイオードの駆動電流をフィードバック制御してレーザダイオードの光出力を一定に制御することが行われている。
【０００５】
また、近年、画像形成装置においては、さらなる高速化、画像の高精細化の要求が高まっており、これらの要求に応えるため、副走査方向に所定の間隔で配置された複数の光源（レーザダイオード）を搭載した画像形成装置が提供されている。このような画像形成装置は、走査光学系の１回の走査により、複数の光源からレーザビームで同時に感光体上を走査し、複数のラインの画像データを同時に書き込んでいる。
【０００６】
ところで、このような複数の光源を用いた画像形成装置においては、コスト上、複数の光源及びそれらの光源を駆動する光源制御部を搭載した光源制御基板に対して、１つの電源部からハーネス等の伝送線（以下、電力伝送線）を通して電源を供給している。
【０００７】
一方、複数の光源を用いた画像形成装置においては、各光源の点灯タイミングはそれぞれ画像データによって独立して行われ、各光源の点灯タイミングが独立に制御される。そのため、１つの電源部から複数の光源に電源を供給している場合、光源の点灯数に応じて、光源の駆動電流及び光源制御部の消費電流が変化する。ここで、光源の駆動電流は光源制御部の負荷電流であるから、光源の駆動電流と光源制御部の消費電流との和が光源制御基板の消費電流（＝光源制御基板の入力電流）となる。
【０００８】
光源制御基板の消費電流が変化すると、電源部から光源制御基板に電源を供給する電力伝送線のインピーダンスによって、電圧降下及びＧＮＤ浮きが発生するため、電源部から光源制御部や光源に供給される電源電圧のレベル、及びＡＰＣ制御のために光源制御基板に供給される基準電圧信号のレベルが変化する。この結果、点灯する光源の数に応じて、光源から出射される光量が変動してしまう。また、光源の数に関わらず、光源から出射される光量が狙いの光量からずれてしまう。このような光源の光量の変化（変動、ずれ）により画像品質が劣化する。
【０００９】
このような問題を解決するために提案された発明として、特許文献１に記載された光書き込み装置、画像形成装置、及び光書き込み制御方法がある。この光書き込み装置は、個別に点灯・消灯可能な複数の光源と、複数の光源を単独で点灯させたときの発光光量と複数の光源を組み合わせて同時に点灯させたときの同時点灯している光源の個別の発光光量との光量差を補正する補正情報である光量補正値を記憶するメモリを備えている。そして、複数の光源を同時点灯させる場合には、メモリを参照して、同時点灯させる光源に対応する光量補正値に基づいて、同時点灯の光源の発光光量を補正制御する。
【００１０】
しかし、特許文献１に記載された光書き込み装置では、補正用の光量を保存するメモリを搭載することでコストがアップする。また、メモリを参照して、光量補正値を取得し、光源駆動電流に反映させる複雑な制御を必要とする。
【発明の概要】
【発明が解決しようとする課題】
【００１１】
本発明は、このような問題を解決するためになされたものであり、その目的は、光源及び前記光源に光源駆動電流を供給する光源制御部が搭載された光源制御基板を有し、前記光源制御基板の外部から前記光源及び光源制御部の電源、並びに前記光源駆動電流を制御する基準電圧信号が供給される光書き込み装置において、前記光源の動作状態の変化に応じて前記光源制御基板の消費電流が変化することに起因する光源の光量変化を安価かつ簡易な手段で低減させることである。
【課題を解決するための手段】
【００１２】
本発明の光書き込み装置は、光源及び前記光源に光源駆動電流を供給する光源制御部が搭載された光源制御基板を有し、前記光源制御基板の外部から前記光源及び光源制御部の電源、並びに前記光源駆動電流を制御する基準電圧信号が供給される光書き込み装置であって、前記光源制御基板に搭載された、前記光源駆動電流が流れる期間を含む所定の期間に通電される被通電部と、前記光源制御基板の消費電流が前記期間で一定になるように前記被通電部に流れる電流を制御する電流制御部と、を有する、光書き込み装置である。
【発明の効果】
【００１３】
本発明によれば、光源及び前記光源に光源駆動電流を供給する光源制御部が搭載された光源制御基板を有し、前記光源制御基板の外部から前記光源及び光源制御部の電源、並びに前記光源駆動電流を制御する基準電圧信号が供給される光書き込み装置において、前記光源の動作状態の変化に応じて前記光源制御基板の消費電流が変化することに起因する光源の光量変化を安価かつ簡易な手段で低減させることができる。
【図面の簡単な説明】
【００１４】
【図１】本発明の実施形態に係る画像形成装置としてのレーザプリンタの概略構成を示す図である。
【図２】図１における光書き込み部の要部の斜視図である。
【図３】図１における光書き込み部の要部の電気的ブロック図である。
【図４】図３における光源制御基板上の可変抵抗に加算電流を流さない場合の動作について説明するためのタイミング図である。
【図５】図３における光源制御基板上の可変抵抗に流す加算電流を一定にした場合の動作について説明するためのタイミング図である。
【図６】図３における光源制御基板上の可変抵抗に流す加算電流を変化させた場合の動作について説明するためのタイミング図である。
【図７】図３における光源制御基板に加算電流を流す期間を副走査期間とし、かつ変化させた場合の動作について説明するためのタイミング図である。
【発明を実施するための形態】
【００１５】
以下、本発明の実施形態について図面を参照して説明する。
〈画像形成装置の概略構成〉
図１は、本発明の実施形態に係る画像形成装置としてのレーザプリンタの概略構成を示す図である。
【００１６】
図示のように、レーザプリンタ１は、画像形成部２及び定着部３を備えている。また、図示されていないが、印刷データに対して必要な画像処理を行う画像処理部、印刷用紙を画像形成部２に供給する給紙部、画像形成部２で画像形成され、定着部３で定着された印刷用紙を排紙トレイに排出する排紙部、印刷データを外部装置（パーソナルコンピュータ、スキャナ等）から受信するデータ受信部、レーザプリンタ１の各種動作モード等を設定操作する操作キーや各種情報を表示するディスプレイ等を有する操作表示部等を備えている。
【００１７】
画像形成部２においては、回転駆動される感光体１０の周囲に、帯電部１１、光書き込み部１２、現像部１３、転写部１４、分離部１５、クリーニング部１６等が配置されている。
【００１８】
画像形成部２では、帯電部１１で感光体１０を一様に帯電させた後、光書き込み部１２から、画像データに基づいて変調されたレーザビームを感光体１０に照射することで、感光体１０に静電潜像を形成する。次に、感光体１０に対して、現像部１３によりトナー（現像剤）を付着させて現像剤像としてのトナー画像を形成する。次いで、転写部１４で、感光体１０上のトナー画像を、給紙部から給紙路１７を通して感光体１０と転写部１４との間に給紙される被記録媒体としての印刷用紙に転写する。次に、分離部１５によって、トナー画像の転写された印刷用紙を感光体１０から分離して、定着部３に搬送する。
【００１９】
定着部３は、回転駆動され、所定の定着温度に加熱される加熱ローラ、加熱ローラに当接して加熱ローラとともに回転する加圧ローラ、加熱ローラを所定の定着温度に加熱する加熱ヒータ等を備えている。そして、トナー画像の転写された印刷用紙を加熱ローラと加圧ローラで加熱・加圧しつつ搬送して、トナー画像を用紙に定着させることで画像形成する。
【００２０】
また、画像形成部２は、トナー画像の転写の完了した感光体１０をクリーニング部１６で除電して残留トナーをクリーニングした後、帯電部１１で一様に帯電させて、再度、画像形成を行う。
【００２１】
〈光書き込み部の要部の斜視図〉
図２は、図１における光書き込み部１２の要部の斜視図である。この図において、破線の矢印はレーザビームを示す。
【００２２】
光書き込み部１２は、レーザビームを出射する光源としてのＬＤ（レーザダイオード）ユニット２１、レーザプリンタ１の画像密度に応じた角速度で回転するポリゴンミラー２２、ｆθレンズ２３、反射ミラー２４、同期反射ミラー２５、及び同期検知素子２６を備えている。
【００２３】
ＬＤユニット２１から出射されたレーザビームは、ポリゴンミラー２２で反射し、ｆθレンズ２３を透過して、反射ミラー２４に到達する。そして、反射ミラー２４で反射し、感光体１０に結像する。
【００２４】
ポリゴンミラー２２が矢印３１の方向に回転することで、反射ミラー２４上のレーザビームの入射位置（反射位置）は矢印３２の方向に移動し、感光体１０上の結像位置は矢印３３の方向に移動する。矢印３３の方向は感光体１０の形状である円筒の母線の方向であり、画像の主走査方向である。
【００２５】
ｆθレンズ２３を透過したレーザビームの一部、即ち感光体１０のレーザビームの走査線上であって画像形成領域から外れた位置に近接して配設された同期反射ミラー２５にも入射する。同期反射ミラー２５は、入射したレーザビームを同期検知素子２６に反射する。
【００２６】
同期検知素子２６は、例えば、フォトダイオードを有しており、レーザビームが入射されると、パルス出力である同期検知信号を生成する。この同期検知信号に基づいて、画像を感光体１０上に書き込む期間である有効走査期間が設定される。
【００２７】
〈光書き込み部の電気的ブロック図〉
図３は、図１における光書き込み部１２の要部の電気的ブロック図の第１の例を示す図である。
【００２８】
光書き込み部１２は、書き込み制御基板１００及び光源制御基板１１０を備えている。書き込み制御基板１００と、光源制御基板１１０との間は、制御信号伝送線としての基準電圧信号伝送線１３１、画像領域信号伝送線１３２、ＬＤ１点灯制御信号伝送線１３３、及びＬＤ２点灯制御信号伝送線１３４、並びに電力伝送線としての電源線１３５及びＧＮＤ線１３６により接続されている。
【００２９】
書き込み制御基板１００には、光書き込み部１２の内部又は外部の電源部１２０に接続されており、電源部１２０から書き込み制御基板１００に電源が供給されるとともに、電力伝送線を介して光源制御基板１１０に電源が供給される。
【００３０】
書き込み制御基板１００上には書き込み制御部１０１が搭載されている。また、光源制御基板１１０上には光源制御部１１１、ＬＤユニット２１、及び可変抵抗１１３が搭載されている。
【００３１】
光源制御部１１１は、比較器１１１ａ、アナログ制御部１１１ｂ、トランジスタ１１１ｃ及び１１１ｄを備えている。ＬＤユニット２１は、第１のＬＤ２１ａ、第２の２１ｂ、及びＰＤ（フォトダイオード）２１ｃを内蔵している。ここでは、２個（２チャンネル）のＬＤを有するＬＤユニットを光源としているが、チャンネル数、光源数はこれに限らない。
【００３２】
書き込み制御部１０１から、それぞれ基準電圧信号伝送線１３１、画像領域信号伝送線１３２、ＬＤ１点灯制御信号伝送線１３３、ＬＤ２点灯制御信号伝送線１３４により、基準電圧信号、画像領域信号、ＬＤ１点灯制御信号、ＬＤ２点灯制御信号が、光源制御部１１１へ伝送される。画像領域信号は印刷開始によりアサートされ、ジョブエンドとともにネゲートされる。つまり、印刷用紙の副走査方向の紙面の期間だけアクティブとなる信号である。書き込み制御部１０１は画像領域信号供給部として機能する。
【００３３】
光源制御部１１１は、画像領域信号により印刷用紙の副走査方向の画像領域を認識し、ＬＤ１点灯制御信号、ＬＤ２点灯制御信号により、第１のＬＤ２１ａ、第２のＬＤ２１ｂを点灯するタイミングを決定し、基準電圧信号により点灯光量（光強度）を制御する。
【００３４】
点灯光量の制御は以下のように実行される。第１のＬＤ２１ａ、第２のＬＤ２１ｂから出射されたレーザビームの一部はＰＤ２１ｃにより検出され、比較器１１１ａに入力される。比較器１１１ａは、ＰＤ２１ｃの出力レベルと基準電圧信号のレベルとを比較し、その差を比較結果としてアナログ制御部１１１ｂに出力する。アナログ制御部１１１ｂは、その比較結果に基づいて、トランジスタ１１１ｃ、１１１ｄの出力電流、即ち、第１のＬＤ２１ａ、第２のＬＤ２１ｂの駆動電流を制御する。
【００３５】
例えば、基準電圧信号のレベルが下がると、ＰＤ２１ｃの出力レベルが下がるように第１のＬＤ２１ａ、第２のＬＤ２１ｂの光量を低下させる。逆に基準電圧信号のレベルが上がると、ＰＤ２１ｃの出力レベルが上がるように第１のＬＤ２１ａ、第２のＬＤ２１ｂの光量を増加させる。これにより、第１のＬＤ２１ａ、第２のＬＤ２１ｂの光量が常に基準電圧信号の変化に対応するように制御される。
【００３６】
可変抵抗１１３は電源部１２０から光源制御基板１１０に供給された電流を消費するための被通電部である。以下、この可変抵抗１１３に流れる電流を加算電流と呼ぶ。後に詳述するように、加算電流を流す期間及び電流値は、光源制御部１１１が可変抵抗１１３の抵抗値を変化させることで任意の値に可変制御することができる。
【００３７】
〈加算電流を流さない場合の動作〉
図４は、図３における光源制御基板１１０上の可変抵抗１１３に加算電流を流さない場合の動作について説明するためのタイミング図である。この動作は、可変抵抗１１３に対して光源制御部１１１から制御信号が供給されていないためにオフとなり、抵抗値が無限大（オープン状態）になっているときの動作である。
【００３８】
第１のＬＤ２１ａ、第２のＬＤ２１ｂが点灯していない時の光源制御基板１１０の消費電流は０ｍＡである。また、点灯期間については、１つのＬＤのみが点灯している時（ＬＤ１点灯期間、ＬＤ２点灯期間）は１０ｍＡ、第１のＬＤ２１ａ、第２のＬＤ２１ｂの点灯タイミングが重なり、２つとも点灯している時（ＬＤ１＆２点灯期間）は２０ｍＡである。ここで、点灯期間の最短値（図では、１回目のＬＤ１点灯期間、ＬＤ２点灯期間）は１画素期間である。また、光源制御基板１１０の消費電流は、光源制御部１１１の消費電流と、ＬＤユニット２１の消費電流（＝光源駆動電流）の和である。
【００３９】
第１のＬＤ２１ａ、第２のＬＤ２１ｂの点灯によって光源制御基板１１０の消費電流が増加すると、電源線１３５、ＧＮＤ線１３６を構成しているハーネスの抵抗分により、電圧降下とＧＮＤ浮きが発生する。
【００４０】
例えば、電源線１３５、ＧＮＤ線１３６における書き込み制御基板１００上の電位を、それぞれ５．０Ｖ、０Ｖとし、基準電圧信号を１．０Ｖとする。ＬＤが１つのみ点灯している時の電源線１３５における電圧降下、ＧＮＤ線１３６におけるＧＮＤ浮きをともに０．０１Ｖとすると、光源制御基板１１０における電源電圧は４．９８Ｖとなり、基準電圧信号は０．９９Ｖとなる。また、ＬＤが２つとも点灯している時の電圧降下、ＧＮＤ浮きはそれぞれ０．０２Ｖとなり、光源制御基板１１０における電源電圧は４．９６Ｖとなり、基準電圧信号は０．９８Ｖとなる。
【００４１】
ここで、光源制御部１１１に供給される基準電圧信号のレベルとＬＤの光量とは比例関係にあり、１．０Ｖの基準電圧信号が供給されると１０ｍＷの消費電力に対応する光量（以下、１０ｍＷの光量）で発光するものとする。
【００４２】
しかし、基準電圧信号のレベルの変動により、光源制御部１１１内のアナログ制御部１１１ｂは、１．０Ｖではなく０．９９Ｖや０．９８Ｖの基準電圧信号に対応する光源駆動電流が流れるようにトランジスタ１１１ｃ及び１１１ｄを駆動してしまう。さらに、電源電圧のレベルの変動により、トランジスタ１１１ｃ及び１１１ｄのコレクタ-エミッタ間にかかる電圧が変化するため、ＬＤに流す光源駆動電流量が０．９９Ｖや０．９８Ｖの基準電圧信号に対応する光源駆動電流量からも変化してしまう。
【００４３】
つまり、ＬＤが１つ点灯している時と２つ点灯している時とで、光量がほぼ９．９ｍＷの光量と９．８ｍＷの光量の間で変動してしまう。また、１つ点灯している時も２つ点灯している時も、狙いの光量である１０ｍＷの光量ではなく、ほぼ９．９ｍＷや９．８ｍＷの光量にずれてしまう。これらの光量の変化（変動、ずれ）は印刷された画像の濃度を変化させてしまうため好ましくない。
【００４４】
なお、電圧降下とＧＮＤ浮きは以下の式で算出することができる。
電圧降下＝消費電流／電源線１３５のハーネス本数×ハーネス長×ハーネスの単位抵抗
ＧＮＤ浮き＝消費電流／ＧＮＤ線１３６のハーネス本数×ハーネス長×ハーネスの単位抵抗
【００４５】
例えば消費電流：２００ｍＡ、電源線１３５のハーネス本数：２、ＧＮＤ線１３６のハーネス本数：２、それぞれのハーネス長：０．１ｍ、それぞれの単位抵抗：１Ω／ｍとすると、
電圧降下＝ＧＮＤ浮き＝２００ｍＡ／２×０．１ｍ×１Ω／ｍ＝１００ｍＡ×０．１Ω＝１０ｍＶ
となる。
【００４６】
〈加算電流を一定にした場合の動作〉
図５は、図３における光源制御基板１１０上の可変抵抗１１３に流す加算電流を一定にした場合の動作について説明するためのタイミング図である。ここでは、電源部１２０から光源制御基板１１０に電源が供給されている期間、１００ｍＡの加算電流が定常的に流れている。つまり、本発明における「光源駆動電流が流れる期間を含む所定の期間」を電源部１２０から光源制御基板１１０に電源が供給されている期間としたものである。
【００４７】
この１００ｍＡの加算電流により、０．１Ｖの電圧降下及びＧＮＤ浮きが発生する。その定常的な加算電流分の電圧降下とＧＮＤ浮きを考慮し、電源部１２０から電源線１３５に出力される電源電圧を５．２Ｖ、書き込み制御基板１００から出力される基準電圧信号を１．１Ｖとすると、ＬＤが点灯していない時、光源制御基板１１０上の電源電圧は５．０Ｖ、基準電圧信号は１．０Ｖとなる。
【００４８】
また、ＬＤが１つ点灯している時（ＬＤ１点灯期間、ＬＤ２点灯期間）は、光源制御基板１１０の消費電流が１０ｍＡ増加して１１０ｍＡとなることによって、０．０１Ｖの電圧降下及びＧＮＤ浮きが発生するため、光源制御基板１１０上の電源電圧は４．９８Ｖ、基準電圧信号は０．９９Ｖとなる。また、ＬＤが２つ点灯している時（ＬＤ１＆２点灯期間）は、光源制御基板１１０の消費電流が２０ｍＡ増加して１２０ｍＡとなることに伴って、０．０２Ｖの電圧降下及びＧＮＤ浮きが発生するため、光源制御基板１１０上の電源電圧は４．９６Ｖ、基準電圧信号は０．９８Ｖとなる。
【００４９】
つまり、電源電圧及び基準電圧信号のレベルを上げることで加算電流分の電圧降下及びＧＮＤ浮きの影響を回避することができるものの、ＬＤの点灯により変化する光源制御基板１１０の消費電流の変化に起因する電圧降下及びＧＮＤ浮きの影響は回避できていない。
【００５０】
〈加算電流を変化させた場合の動作〉
そこで、本実施形態に係る光書き込み装置ではさらに次図のような電流制御を行う。
図６は、図３における光源制御基板１１０上の可変抵抗１１３に流す加算電流を変化させた場合の動作について説明するためのタイミング図である。
【００５１】
図示のように、ＬＤの点灯による光源制御基板１１０の消費電流の変化を無くすため、ＬＤの点灯に合わせて加算電流値を変化させる、即ち、ＬＤの点灯により増加する消費電流の分、加算電流を減少させる。
【００５２】
光源制御部１１１がＬＤの点灯制御信号の「点灯」のタイミングに合わせて、基準電圧信号のレベルに対応した電流値（図ではＬＤ１つの点灯に対して１０ｍＡ）を加算電流から減らすことで、光源制御基板１１０上での消費電流を常に一定にする。即ち、ＬＤが１つ点灯している時（ＬＤ１点灯期間、ＬＤ２点灯期間）の加算電流値を９０ｍＡとし、ＬＤが２つとも点灯している時（ＬＤ１＆２点灯期間）の加算電流値を８０ｍＡとする。
【００５３】
そうすることで、ＬＤの点灯の有無及び点灯数に関わらず、光源制御基板１１０の消費電流が１００ｍＡの一定値となり、変化しないため、電圧降下及びＧＮＤ浮きも変化せず一定となる。このため、光源制御部１１１に入力される電源電圧及び基準電圧信号のレベルも変化せず、それぞれ５．００Ｖ、１．００Ｖの一定値となるので、ＬＤの光量の変動をなくすことが出来る。
【００５４】
このように加算電流を変化させる制御は、電流制御部として機能する光源制御部１１１が行う。即ち、光源制御部１１１内のアナログ制御部１１１ｂは、ＬＤが点灯していない時の加算電流値（図では１００ｍＡ）から光源制御部１１１に入力された基準電圧信号のレベルに対応する電流値を減算した電流が可変抵抗１１3に流れるように、その抵抗値を変化させる。
【００５５】
なお、ここではＬＤが点灯していない時の加算電流値を１００ｍＡとしたが、この値に限らない。全てのＬＤ（図３では２個）が最大の光量で点灯している時の電流量以上を定常的に流せていることが望ましい。
【００５６】
〈加算電流を流す期間を副走査期間とし、かつ変化させた場合の動作〉
図７は、図３における光源制御基板１１０に加算電流を流す期間を副走査期間とし、かつ変化させた場合の動作について説明するためのタイミング図である。つまり、本発明における「光源駆動電流が流れる期間を含む所定の期間」を副走査期間としたものである。
【００５７】
図示のように、副走査期間（＝印刷動作期間）を示す画像領域信号が有効な期間のみ加算電流を流すことで、画像形成動作を行う印刷動作期間以外のタイミングでは余計な電流を流さないように制御する。
【００５８】
即ち、まず画像領域信号が無効から有効に変化した（アサートされた）時、加算電流を０ｍＡから１００ｍＡに変化させる。その後、ＬＤが１つ点灯している時（ＬＤ１点灯期間、ＬＤ２点灯期間）は加算電流値を１０ｍＡに減らして９０ｍＡとし、ＬＤが２つとも点灯している時（ＬＤ１＆２点灯期間）は加算電流値を２０ｍＡに減らして９０ｍＡとする。
【００５９】
これにより、図６の場合と同様に、ＬＤの点灯の有無及び点灯数に関わらず、光源制御基板１１０の消費電流が変化せず１００ｍＡの一定値となるため、電圧降下及びＧＮＤ浮きも変化せず一定となる。このため、光源制御部１１１に入力される電源電圧及び基準電圧信号のレベルも変化せず、それぞれ５．００Ｖ、１．００Ｖの一定値となるので、ＬＤの光量の変動や狙いの光量からのずれをなくすことが出来る。
【符号の説明】
【００６０】
１…レーザプリンタ、１０…感光体、１２…光書き込み部、２１…ＬＤユニット、１００…書き込み制御部、１１０…光源制御基板、１１１…光源制御部、１１３…可変抵抗。
【先行技術文献】
【特許文献】
【００６１】
【特許文献１】特開２０１０−１９４８４３号公報
【図１】
2015168184.tif 000003
【図２】
2015168184.tif 000004
【図３】
2015168184.tif 000005
【図４】
2015168184.tif 000006
【図５】
2015168184.tif 000007
【図６】
2015168184.tif 000008
【図７】
2015168184.tif 000009